【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
光学層を構成するインプリントリソグラフィ方法であって、前記インプリントリソグラフィ方法は、
液滴の第１の組が基板上に形成された機能的パターンに接触しないような様式で、前記基板の側面の上に前記液滴の第１の組を堆積させることと、
前記液滴の第１の組を硬化させ、前記基板の前記側面に関連付けられたスペーサ層の第１の部分を形成することと、
前記液滴の第１の組が硬化させられた後、前記基板の前記側面の上に液滴の第２の組を堆積させることであって、それにより、前記液滴の第２の組のうちの各液滴は、それぞれ、前記液滴の第１の組のうちの液滴の上に直接分注される、ことと、
前記液滴の第１の組の上に直接、前記液滴の第２の組を硬化させ、前記スペーサ層の高さを増加させる前記スペーサ層の第２の部分を形成することであって、それにより、前記スペーサ層は、前記基板に隣接し、かつ前記機能的パターンから間隔を置かれた位置で前記液滴の第１および第２の組に及ぶ表面を支持できる、ことと
を含み、
前記液滴の第１の組における液滴の第１の数は、前記スペーサ層の高さが可変であるように、前記液滴の第２の組における液滴の第２の数に等しくない、インプリントリソグラフィ方法。
【請求項２】
前記液滴の第１および第２の組のうちの各液滴は、約１ｐＬ〜約１００ｐＬの体積を有する、請求項１に記載のインプリントリソグラフィ方法。
【請求項３】
ドロップオンデマンドプログラミング方式を生成することをさらに含む、請求項１に記載のインプリントリソグラフィ方法。
【請求項４】
印刷スクリーンを提供することをさらに含む、請求項１に記載のインプリントリソグラフィ方法。
【請求項５】
前記基板上に前記機能的パターンをインプリントすることをさらに含む、請求項１に記載のインプリントリソグラフィ方法。
【請求項６】
前記基板の前記側面の上に前記液滴の第１および第２の組を堆積させることは、前記基板の前記側面の上に重合性物質の液滴体積を分注することを含む、請求項１に記載のインプリントリソグラフィ方法。
【請求項７】
前記基板の前記側面の上に直接、前記液滴の第１の組のうちの各液滴を堆積させることと、
前記基板の前記側面の上に直接、前記液滴の第１の組を硬化させることと
をさらに含む、請求項１に記載のインプリントリソグラフィ方法。
【請求項８】
前記液滴の第１の組のうちの各液滴は、約０．５μｍ〜約２０．０μｍの硬化高さを有する、請求項７に記載のインプリントリソグラフィ方法。
【請求項９】
前記スペーサ層は、楔形状を有する、請求項１に記載のインプリントリソグラフィ方法。
【請求項１０】
前記機能的パターンは、前記基板の前記側面上にインプリントされる、請求項１に記載のインプリントリソグラフィ方法。
【請求項１１】
前記機能的パターンは、前記基板の前記側面の内部領域に沿ってインプリントされ、前記インプリントリソグラフィ方法は、前記基板の前記側面の周辺縁に沿って前記液滴の第１および第２の組を堆積させることをさらに含む、請求項１０に記載のインプリントリソグラフィ方法。
【請求項１２】
前記基板の前記側面は、前記基板の第１の側面であり、前記機能的パターンは、前記基板の前記第１の側面の反対側である前記基板の第２の側面上にインプリントされる、請求項１に記載のインプリントリソグラフィ方法。
【請求項１３】
前記基板の前記第１の側面の全体にわたって前記液滴の第１および第２の組を堆積させることをさらに含む、請求項１２に記載のインプリントリソグラフィ方法。
【請求項１４】
前記スペーサ層が前記基板と前記表面との間に間隙を形成するように、前記基板を前記液滴の第２の組において前記基板に隣接する前記表面に取り付けることをさらに含む、請求項１に記載のインプリントリソグラフィ方法。
【請求項１５】
前記間隙は、１の屈折率を有する空気を備える領域を提供する、請求項１４に記載のインプリントリソグラフィ方法。
【請求項１６】
１．３〜１．６の範囲の屈折率を有する重合性材料で前記間隙を充填することをさらに含む、請求項１４に記載のインプリントリソグラフィ方法。
【請求項１７】
重合性物質は、約０．５ｃＰ〜約５００．０ｃＰの範囲の粘度を有し、それにより、前記液滴の第１の組の上にそれぞれに堆積させられた前記液滴の第２の組から形成されたスペーサは、楕円体半円である形状を有する、請求項１に記載のインプリントリソグラフィ方法。
【請求項１８】
前記スペーサ層は、三日月形を有する、請求項１に記載のインプリントリソグラフィ方法。
【請求項１９】
光学層であって、前記光学層は、
基板と、
前記基板上に形成された機能的パターンと、
前記基板の側面上に配置され、前記機能的パターンから間隔を置かれたスペーサの組と
を備え、
前記スペーサの組は、前記基板の前記側面に関連付けられたスペーサ層を形成し、前記スペーサ層は、前記スペーサ層が、前記基板に隣接し、かつ前記機能的パターンから間隔を置かれた位置で液滴の硬化させられた組に及ぶ表面を支持できるように選択された高さを有し、
前記スペーサの組は、
硬化させられた液滴の第１の組と、
前記硬化させられた液滴の第１の組の上に堆積させられた硬化させられた液滴の第２の組であって、それにより、前記液滴の第２の組のうちの各液滴は、それぞれ、前記液滴の第１の組のうちの液滴の上に直接支持されている、硬化させられた液滴の第２の組と
を備え、
前記硬化させられた液滴の第１の組における液滴の第１の数は、前記スペーサ層の高さが可変であるように、前記硬化させられた液滴の第２の組における液滴の第２の数に等しくない、光学層。
【請求項２０】
光学層を構成するインプリントリソグラフィ方法であって、前記インプリントリソグラフィ方法は、
液滴の組が、基板に接触するが、前記基板上に形成された機能的パターンに接触しないような様式で、前記基板の側面に沿って前記基板の上に前記液滴の組を堆積させることと、
前記液滴の組を硬化させ、前記基板の前記側面に関連付けられたスペーサ層を形成することであって、前記スペーサ層は、前記スペーサ層が、前記基板に隣接し、かつ前記機能的パターンから間隔を置かれた位置で前記液滴の組に及ぶ表面を支持できるように選択された高さを有し、ことと
を含み、
前記液滴の組は、液滴の第１の組であり、前記インプリントリソグラフィ方法は、
前記基板の前記側面の上に直接、前記液滴の第１の組のうちの各滴を堆積させることと、
前記基板の前記側面の上に直接、前記液滴の第１の組を硬化させることと、
前記基板の前記側面の上に液滴の第２の組を堆積させることであって、それにより、前記液滴の第２の組のうちの各液滴は、それぞれ、前記液滴の第１の組のうちの液滴の上に直接分注される、ことと、
前記液滴の第１の組の上に直接、前記液滴の第２の組を硬化させ、前記スペーサ層の高さを増加させることと
をさらに含み、
前記液滴の第１の組における液滴の第１の数は、前記スペーサ層が可変高さを有するように、前記液滴の第２の組における液滴の第２の数に等しくない、インプリントリソグラフィ方法。
【請求項２１】
前記液滴の組のうちの各液滴は、約１ｐＬ〜約１００ｐＬの体積を有する、請求項２０に記載のインプリントリソグラフィ方法。
【請求項２２】
ドロップオンデマンドプログラミング方式を生成することをさらに含む、請求項２０に記載のインプリントリソグラフィ方法。
【請求項２３】
印刷スクリーンを提供することをさらに含む、請求項２０に記載のインプリントリソグラフィ方法。
【請求項２４】
前記基板上に前記機能的パターンをインプリントすることをさらに含む、請求項２０に記載のインプリントリソグラフィ方法。
【請求項２５】
前記基板上に前記液滴の組を堆積させることは、前記基板の前記側面の上に、前記基板上に直接、重合性物質の液滴体積を分注することを含む、請求項２０に記載のインプリントリソグラフィ方法。
【請求項２６】
前記液滴の第１の組のうちの各液滴は、約０．５μｍ〜約２０．０μｍの硬化高さを有する、請求項２０に記載のインプリントリソグラフィ方法。
【請求項２７】
前記スペーサ層は、楔形状を有する、請求項２０に記載のインプリントリソグラフィ方法。
【請求項２８】
前記機能的パターンは、前記基板の前記側面上にインプリントされる、請求項２０に記載のインプリントリソグラフィ方法。
【請求項２９】
前記機能的パターンは、前記基板の前記側面の内部領域に沿ってインプリントされ、前記インプリントリソグラフィ方法は、前記基板の前記側面の周辺縁に沿って前記液滴の組を堆積させることをさらに含む、請求項２８に記載のインプリントリソグラフィ方法。
【請求項３０】
前記基板の前記側面は、前記基板の第１の側面であり、前記機能的パターンは、前記基板の前記第１の側面の反対側である前記基板の第２の側面上にインプリントされる、請求項２０に記載のインプリントリソグラフィ方法。
【請求項３１】
前記基板の前記第１の側面の全体にわたって前記液滴の組を堆積させることをさらに含む、請求項３０に記載のインプリントリソグラフィ方法。
【請求項３２】
前記スペーサ層が前記基板と前記表面との間に間隙を形成するように、前記基板を前記液滴の組において前記基板に隣接する前記表面に取り付けることをさらに含む、請求項２０に記載のインプリントリソグラフィ方法。
【請求項３３】
前記間隙は、約１．０〜約１．２の範囲の屈折率を有する低屈折率領域を提供する、請求項２０に記載のインプリントリソグラフィ方法。
【請求項３４】
前記低屈折率領域は、空気を備えている、請求項３３に記載のインプリントリソグラフィ方法。
【請求項３５】
前記低屈折率領域は、１の屈折率を有する、請求項３３に記載のインプリントリソグラフィ方法。
【請求項３６】
光学層であって、前記光学層は、
基板と、
前記基板上に形成された機能的パターンと、
前記基板の側面に沿って前記基板上に配置された液滴の第１の硬化させられた組であって、それにより、前記液滴の第１の硬化させられた組は、前記基板に接触し、前記機能的パターンから間隔を置かれており、前記液滴の第１の硬化させられた組は、前記基板の前記側面に関連付けられたスペーサ層を形成し、前記スペーサ層は、前記スペーサ層が、前記基板に隣接し、前記機能的パターンから間隔を置かれた位置で前記液滴の第１の硬化させられた組に及ぶ表面を支持できるように選択された高さを有する、液滴の第１の硬化させられた組と、
前記基板の前記側面上の液滴の第２の硬化させられた組であって、それにより、前記液滴の第２の硬化させられた組のうちの各液滴は、前記液滴の第１の硬化させられた組のうちの硬化させられた液滴の上に直接にあり、それによって前記液滴の第１の硬化させられた組に対して前記スペーサ層の高さを増加させる、液滴の第２の硬化させられた組と
を備え、
前記硬化させられた液滴の第１の組における液滴の数は、前記スペーサ層が可変高さを有するように、前記液滴の第２の硬化させられた組における液滴の第２の数に等しくない、光学層。
【手続補正２】
【補正対象書類名】明細書
【補正対象項目名】００２９
【補正方法】変更
【補正の内容】
【００２９】
本発明の１つ以上の実施形態の詳細が、添付図面および下記の説明に記載される。本発明の他の特徴、側面、および利点も、説明、図面、および請求項から明白となるであろう。
本願明細書は、例えば、以下の項目も提供する。
（項目１）
光学層を構成するインプリントリソグラフィ方法であって、前記インプリントリソグラフィ方法は、
液滴の組が基板上に形成された機能的パターンに接触しないような様式で、前記基板の側面の上に液滴の組を堆積させることと、
前記液滴の組を硬化させ、前記基板の側面に関連付けられたスペーサ層を形成することと
を含み、
前記スペーサ層は、前記スペーサ層が、前記基板に隣接し、前記機能的パターンから間隔を置かれた位置で前記液滴の組に及ぶ表面を支持できるように選択された高さを有する、インプリントリソグラフィ方法。
（項目２）
前記液滴の組のうちの各液滴は、約１ｐＬ〜約１００ｐＬの体積を有する、項目１に記載のインプリントリソグラフィ方法。
（項目３）
ドロップオンデマンドプログラミング方式を生成することをさらに含む、項目１に記載のインプリントリソグラフィ方法。
（項目４）
印刷スクリーンを提供することをさらに含む、項目１に記載のインプリントリソグラフィ方法。
（項目５）
前記基板上に前記機能的パターンをインプリントすることをさらに含む、項目１に記載のインプリントリソグラフィ方法。
（項目６）
前記基板の前記側面の上に前記液滴の組を堆積させることは、前記基板の前記側面の上に重合性物質の液滴体積を分注することを含む、項目１に記載のインプリントリソグラフィ方法。
（項目７）
前記液滴の組は、液滴の第１の組であり、前記インプリントリソグラフィ方法は、
前記基板の側面の上に直接、前記液滴の第１の組のうちの各滴を堆積させることと、
前記基板の側面の上に直接、前記液滴の第１の組を硬化させることと
をさらに含む、項目１に記載のインプリントリソグラフィ方法。
（項目８）
前記液滴の第１の組のうちの各液滴は、約０．５μｍ〜約２０．０μｍの硬化高さを有する、項目７に記載のインプリントリソグラフィ方法。
（項目９）
前記液滴の第１の組が硬化させられた後、
前記基板の前記側面の上に液滴の第２の組を堆積させることであって、前記液滴の第２の組のうちの各液滴は、それぞれ、前記液滴の第１の組のうちの液滴の上に直接分注される、ことと、
前記液滴の第１の組の上に直接、前記液滴の第２の組を硬化させ、前記スペーサ層の高さを増加させることと
をさらに含む、項目７に記載のインプリントリソグラフィ方法。
（項目１０）
前記液滴の第１の組における液滴の第１の数は、前記スペーサ層が一様な高さを有するように、前記液滴の第２の組における液滴の第２の数に等しい、項目９に記載のインプリントリソグラフィ方法。
（項目１１）
前記液滴の第１の組における液滴の第１の数は、前記スペーサ層が可変高さを有するように、前記液滴の第２の組における液滴の第２の数に等しくない、項目９に記載のインプリントリソグラフィ方法。
（項目１２）
前記スペーサ層は、楔形状を有する、項目１１に記載のインプリントリソグラフィ方法。
（項目１３）
前記機能的パターンは、前記基板の前記側面上にインプリントされる、項目１に記載のインプリントリソグラフィ方法。
（項目１４）
前記機能的パターンは、前記基板の前記側面の内部領域に沿ってインプリントされ、前記インプリントリソグラフィ方法は、前記基板の前記側面の周辺縁に沿って前記液滴の組を堆積させることをさらに含む、項目１３に記載のインプリントリソグラフィ方法。
（項目１５）
前記基板の前記側面は、前記基板の第１の側面であり、前記機能的パターンは、前記基板の前記第１の側面の反対側である前記基板の第２の側面上にインプリントされる、項目１に記載のインプリントリソグラフィ方法。
（項目１６）
前記基板の第１の側面の全体にわたって前記液滴の組を堆積させることをさらに含む、項目１５に記載のインプリントリソグラフィ方法。
（項目１７）
前記スペーサ層が前記基板と前記表面との間に間隙を形成するように、前記基板を前記液滴の組において前記基板に隣接する前記表面に取り付けることをさらに含む、項目１に記載のインプリントリソグラフィ方法。
（項目１８）
前記間隙は、低屈折率領域を提供する、項目１７に記載のインプリントリソグラフィ方法。
（項目１９）
前記低屈折率領域は、１の屈折率を有する空気を備えている、項目１８に記載のインプリントリソグラフィ方法。
（項目２０）
１．３〜１．６の範囲の屈折率を有する重合性材料で前記間隙を充填することをさらに含む、項目１７に記載のインプリントリソグラフィ方法。
（項目２１）
光学層であって、前記光学層は、
基板と、
前記基板上に形成された機能的パターンと、
前記基板の側面上に配置され、前記機能的パターンから間隔を置かれた硬化させられた液滴の組と
を備え、
前記硬化させられた液滴の組は、前記基板の前記側面に関連付けられたスペーサ層を形成し、前記スペーサ層は、前記スペーサ層が、前記基板に隣接し、前記機能的パターンから間隔を置かれた位置で前記硬化させられた液滴の組に及ぶ表面を支持できるように選択された高さを有する、光学層。